(57)【要約】      （修正有）【課題】  電動送風機が駆動されても、塵埃が再度二次フィルタに付着してしまうことがなく、しかも二次フィルタ用の専用の集塵部を設ける必要のない電気掃除機を提供する。【解決手段】プリーツフィルタの付着した塵埃を落とす除塵手段と、塵埃分離部５２とプリーツフィルタとの間であってフィルタ室１８１を区画した前壁部８４に設けられ且つ前記除塵手段によって落とされた塵埃を受ける塵埃受部８６とを備えた電気掃除機であって、前壁部８４に塵埃を排出する排出開口８４Ｋを形成し、この排出開口８４Ｋを閉塞する閉塞蓋４５０を設け、塵埃受部８６に溜まった塵埃を移動することにより排出開口８４Ｋへ掃き出す掃出部材３０３を設け、この掃出部材３０３が排出開口８４Ｋの位置へ移動した際に、閉塞蓋４５０が開成するとともにその掃出部材３０３によって掃き出された塵埃が排出開口８４Ｋから排出されて塵埃分離部５２の分離室部５４へ戻される。【選択図】  図２２
2007054549.tif 000002
【特許請求の範囲】
【請求項１】
塵埃を吸い込む塵埃吸込口から掃除機本体の電動送風機の吸込開口までの吸込風路の途中に設けられ且つ前記塵埃吸込口に吸い込まれた塵埃と空気を分離する第１分離部と、この第１分離部で分離された塵埃を集塵する集塵部と、前記第１分離部の下流に形成されたフィルタ室と、このフィルタ室内に設けられた二次フィルタと、この二次フィルタに付着した塵埃を落とす除塵手段と、前記第１分離部又はその上流又は前記集塵部と前記二次フィルタとの間であって前記フィルタ室を区画した区画壁に設けられ且つ前記除塵手段によって落とされた塵埃を受ける塵埃受部とを備えた電気掃除機であって、
前記区画壁に塵埃を排出する排出開口を形成し、
この排出開口を閉塞する閉塞蓋を設け、
前記塵埃受部に溜まった塵埃を移動することにより前記排出開口へ掃き出す掃出部材を設け、
この掃出部材が前記排出開口位置へ移動した際に、前記閉塞蓋が開成するとともにその掃出部材によって掃き出された塵埃が前記排出開口から排出されて前記第１分離部又はその上流又は前記集塵部へ戻されることを特徴とする電気掃除機。
【請求項２】
前記閉塞蓋は閉成方向に付勢され、
前記掃出部材はその付勢力に抗して閉塞蓋を開成することを特徴とする請求項１に記載の電気掃除機。
【請求項３】
前記排出開口が前記区画壁の上部に形成され、
前記塵埃受部が円筒状に形成され、
前記掃出部材は、前記塵埃受部の曲率中心位置を中心にして回転移動することにより、前記塵埃受部の塵埃を掃き出すことを特徴とする請求項１または請求項２に記載の電気掃除機。
【請求項４】
前記二次フィルタは回転することによって前記除塵手段により塵埃が落とされ、
前記掃出部材は前記二次フィルタとともに一体的に回転することを特徴とする請求項３に記載の電気掃除機。
【請求項５】
前記閉塞蓋に突起が形成され、
前記掃出部材は、前記塵埃受部に摺接する第１摺接部と、前記区画壁に摺接する第２摺接部と、掃き出した塵埃を前記排出開口へ案内するガイド傾斜面とを有し、
前記掃出部材が前記排出開口の位置に移動した際に、前記第２摺接部が前記突起を押して前記閉塞蓋を付勢力に抗して開成することを特徴とする請求項２ないし請求項４のいずれか１つに記載の電気掃除機。
【発明の詳細な説明】
【技術分野】
【０００１】
この発明は、例えば掃除機本体内に設けた吸込風路の途中に、塵埃と空気とを分離する第１分離部を設けた電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機と、集塵容器の後部開口に着脱自在に装着された二次フィルタであるプリーツフィルタと、このプリーツフィルタに付着した塵埃を振り落とす除塵手段等とを備えている。なお、プリーツフィルタのプリーツは上下方向に延びている。
【０００４】
この除塵手段は、プリーツフィルタに対向した位置にリングを回転自在に配置し、このリングにプリーツフィルタに当接する突起を設け、コードリールが電源コードを巻き取っていく際にリングを回転させ、このリングが回転することによって突起がプリーツフィルタのプリーツの山部を乗り越えながら移動していき、これによりプリーツフィルタに振動を与えて、プリーツフィルタに付着した塵埃を落としていくものである。
【特許文献１】特開２００４−３５８１３５号公報
【発明の開示】
【発明が解決しようとする課題】
【０００５】
しかしながら、このような電気掃除機にあっては、プリーツフィルタから落とされた塵埃は集塵容器の後部の下部に設けた集塵部に落下していくようになっているが、電動送風機が駆動されると、その集塵部に落下した塵埃が吸引されて再度プリーツフィルタに付着してしまうという問題があった。
【０００６】
この発明の目的は、電動送風機が駆動されても、塵埃が再度二次フィルタに付着してしまうことのない電気掃除機を提供することにある。
【課題を解決するための手段】
【０００７】
上記目的を達成するため、請求項１の発明は、塵埃を吸い込む塵埃吸込口から掃除機本体の電動送風機の吸込開口までの吸込風路の途中に設けられ且つ前記塵埃吸込口に吸い込まれた塵埃と空気を分離する第１分離部と、この第１分離部で分離された塵埃を集塵する集塵部と、前記第１分離部の下流に形成されたフィルタ室と、このフィルタ室内に設けられた二次フィルタと、この二次フィルタに付着した塵埃を落とす除塵手段と、前記第１分離部又はその上流又は前記集塵部と前記二次フィルタとの間であって前記フィルタ室を区画した区画壁に設けられ且つ前記除塵手段によって落とされた塵埃を受ける塵埃受部とを備えた電気掃除機であって、
前記区画壁に塵埃を排出する排出開口を形成し、
この排出開口を閉塞する閉塞蓋を設け、
前記塵埃受部に溜まった塵埃を移動することにより前記排出開口へ掃き出す掃出部材を設け、
この掃出部材が前記排出開口位置へ移動した際に、前記閉塞蓋が開成するとともにその掃出部材によって掃き出された塵埃が前記排出開口から排出されて前記第１分離部又はその上流又は前記集塵部へ戻されることを特徴とする。
【発明の効果】
【０００８】
この発明によれば、排出開口は閉塞蓋により閉塞されているので、電動送風機が駆動されても、塵埃が再度二次フィルタに付着してしまうことが防止される。しかも、掃出部材が排出開口位置へ移動した際に、閉塞蓋が開成するするとともにその掃出部材によって掃き出された塵埃が排出開口から排出されて第１分離部またはその上流へ戻されるものであるから、二次フィルタ用の専用の集塵部を設ける必要がない。
【発明を実施するための最良の形態】
【０００９】
以下、この発明に係る電気掃除機の実施の形態である実施例を図面に基づいて説明する。
【実施例】
【００１０】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１１】
吸込口体１５には、その底面に塵埃を吸引する図示しない吸込開口（塵埃吸込口）を形成した吸込室（図示せず）が形成されており、この吸込室は延長管１４および集塵ホース１２を介して掃除機本体１１内に設けた集塵ユニット５０（図６参照）の吸込接続口５７ａに連通している。
【００１２】
掃除機本体１１は、本体ケース２０と、本体ケース２０内に装着された集塵ユニット５０（図６参照）と、後述する電動送風機２４とを備えている。
【００１３】
本体ケース２０の前側には、図２ないし図５に示すように、集塵ユニット室（装着部）２２が形成されており、この集塵ユニット室２２には後述する塵埃分離ユニット４００と集塵部ユニット４１０とが着脱自在に装着されるようになっている。
【００１４】
集塵ユニット室２２の上部には開口２３が形成され（図３参照）、この開口２３は図２に示すように蓋ケース２１Ａ,２１Ｂによって閉鎖されている。また、本体ケース２０の後側には電動送風機２４が設けられており、この電動送風機２４の前側（図２において右側）に前面開口２５Ｂを有する円筒状の接続風路部２５が形成され、この接続風路部２５内には格子部材２５Ｋが配置されており、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１５】
集塵ユニット室２２には、図３ないし図５に示すように、駆動ギア（第１伝達手段）１１０と、この駆動ギアＧａを回転させる駆動モータ（駆動手段）Ｍとが設けられている。
【００１６】
集塵ユニット５０は、図６ないし図８に示すように、塵埃分離ユニット４００と集塵部ユニット４１０とを備えている。
【００１７】
塵埃分離ユニット４００は、塵埃分離部（第１分離部）５２と、塵埃分離部５２と一体となっているフィルタ部８０と、このフィルタ部８０の上に設けた蓋ケース２１Ａとから構成されている。集塵部ユニット４１０は、集塵部７０と、この集塵部７０の上に設けられた蓋ケース２１Ｂとから構成されている。
【００１８】
塵埃分離部５２は、外周壁５３によって円筒状に形成された分離室部５４と、この分離室部５４内に分離室部５４の軸線に沿って設けられたほぼ円錐形状の塵埃分離手段５５と、分離室部５４の右側壁５４Ａ（図９参照）の外側に設けた吸引風路部５６と、吸込接続口５７ａ（図６参照）から分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００１９】
分離室部５４の外周壁５３の上部には、図７に示すように、空気から分離された塵埃を集塵部７０へ導入する導入開口５３Ａと、後述する排出開口８４Ｋ（図１０参照）から排出される塵埃を分離室部５４へ導入する導入孔１５３Ｂとが形成されている。
【００２０】
また、分離室部５４の右側壁５４Ａには、図９および図１０に示すように、円形の開口１５４Ａと扇状の開口１５４Ｂとが形成され、開口１５４Ａには塵埃分離手段５５が取り付けられており、開口１５４ＢにはネットフィルタＮＦ２が取り付けられている。また、右側壁５４Ａには接続開口５４Ａａが形成され、この接続開口５４Ａａには案内風路管５７が接続されており、分離室部５４と案内風路管５７とが連通している。
【００２１】
分離室部５４の左側面（図７において）は開口されており、この開口５４Ｂａ（図９参照）には蓋５８（図８参照）が着脱自在に装着されている。
【００２２】
塵埃分離手段５５は、図１０に示すように円板５５ａと、リング枠５５ｂと、円板５５ａとリング枠５５ｂとを連結した複数の連結枠５５ｃと、連結枠５５ｃの周囲に貼り付けたネットフィルタＮＦ１とから構成されている。そして、吸引風路部５６は、右側壁５４Ａの開口１５４ＡおよびネットフィルタＮＦ１を介して分離室部５４内に連通し、また右側壁５４Ａの開口１５４ＢのネットフィルタＮＦ２を介して分離室部５４内に連通している。
【００２３】
吸引風路部５６は、後述するフィルタ部８０の収納ケース８１内に連通しているとともに、その右側壁部１５６（図７参照）に形成した接続開口５６Ａを介して後述する集塵ケース部７４の集塵室７３に連通している。
【００２４】
案内風路管５７は、分離室部５４の接続開口５４Ａａから分離室部５４内へ導入される空気を図９および図１０の矢印に示すように反時計回りに回転させるようになっている。
【００２５】
集塵部７０は、図１１および図１２に示すように、上部に左右方向に延びた連通路７１（図７参照）を形成した連通ケース部７２と、この連通ケース部７２の右端部から下方に延びるとともに塵埃を集塵する集塵室７３（図７参照）を形成した集塵ケース部７４とを有している。
【００２６】
連通ケース部７２の下面には開口７２Ａが形成され、この開口７２Ａは図７に示すように塵埃分離部５２の導入開口５３Ａに接続されている。また、集塵ケース部７４の左側壁部７４Ａには図１３に示すように接続開口７５が形成されており、この接続開口７５にはネットフィルタＮＦ３が取り付けられている。
【００２７】
このネットフィルタＮＦ３の外側であって、ネットフィルタＮＦ３から所定距離離間した位置にカバー板１７０が集塵ケース部７４の外壁部に取り付けられている。カバー板１７０の下部には開口１７０Ａが形成され、ネットフィルタＮＦ３の上部が所定距離離間した位置からカバー板１７０によって覆われている。
【００２８】
カバー板１７０の開口１７０Ａは、図７に示すように吸引風路部５６の接続開口５６Ａに接続されている。
【００２９】
また、集塵ケース部７４は、右側面が開口したケース部１７４と（図１３参照）、このケース部１７４の開口７６に開閉自在に取り付けられた蓋体７７（図１４参照）とから構成されている。
【００３０】
蓋体７７の底壁部７７Ａには、図１２に示すように左方向へ延びたアーム部７７Ｍが形成され、このアーム部７７Ｍに図１４に示すように軸部７７Ｊが設けられており、この軸部７７Ｊが集塵ケース部７４の底部に設けた軸受部７８に回動自在に保持されている。そして、その軸部７７Ｊを中心にして蓋体７７が回動することにより、集塵ケース部７４の開口７６が開閉されるようになっている。
【００３１】
また、蓋体７７の上部には図示しないフックが形成され、このフックが集塵ケース部７４の係止部（図示せず）に係止することにより蓋体７７が開かないようになっている。そして、図１５に示すように、集塵部７０の蓋ケース２１Ｂに設けた解除ボタン２１Ｂａを操作すると、そのフックの係止が解除され、蓋体７７を下側にすることにより、蓋体７７は自重により軸部７７Ｊ回りに回動して開成する。
【００３２】
蓋体７７は、図１４に示すように、底壁部７７Ａと、この底壁部７７Ａの両側に形成された側壁部７７Ｂ,７７Ｃと、この側壁部７７Ｂ,７７Ｃの上部に形成された上壁部７７Ｄと、これら底壁部７７Ａ,側壁部７７Ｂ,７７Ｃ,上壁部７７Ｄで囲まれた蓋板部７７Ｅとを有している。そして、ケース部１７４と蓋体７７は、集塵ケース部７４を縦割に２分割して形成した状態となっており、蓋体７７の側壁部７７Ｂの幅は集塵ケース部７４の側部の幅の１／２以上に設定されている。
【００３３】
そして、塵埃分離ユニット４００を装着した掃除機本体１１の集塵ユニット室２２に集塵部ユニット４１０を装着すると、図７に示すように集塵部ユニット４１０の開口７２Ａに塵埃分離部５２の導入開口５３Ａが接続され、集塵部ユニット４１０のカバー板１７０の開口１７０Ａが塵埃分離ユニット４００の吸引風路部５６の接続開口５６Ａに接続されるようになっている。
【００３４】
フィルタ部８０は、後面（図８において左側面）が開口されるとともに円筒状の収納ケース８１と、この収納ケース８１内に回転自在に取り付けられたプリーツフィルタ体（二次フィルタ）１００と、このプリーツフィルタ体１００と一体に回転していく掃出体３００（図１６参照）とを有している。収納ケース８１の前壁部（区画壁）８４の前面（図６において右側）には塵埃分離部５２が一体に形成されている。収納ケース８１内がフィルタ室１８１となっている（図１０参照）。
【００３５】
収納ケース８１の前壁部８４には、図１６に示すように、接続開口８４Ａと上部に塵埃を排出する排出開口８４Ｋが形成され、接続開口８４Ａが吸引風路部５６（図７参照）に接続されている。そして、その接続開口８４Ａを介して収納ケース８１内と吸引風路部５６とが連通している。
【００３６】
排出開口８４Ｋは、図１０に示すように、閉塞蓋４５０により閉塞され、この閉塞蓋４５０はスプリング４０１により後方（図１０において左方）へ付勢されている。また、閉塞蓋４５０はスプリング４０１の付勢力に抗して前方（右方）へ移動可能となっており、前方へ移動することにより排出開口８４Ｋが開成される。開閉蓋４５０には突起４５０Ａが設けられており、この突起４５０Ａが排出開口８４Ｋから収納ケース８１内へ突出している。
【００３７】
排出開口８４Ｋは、連通部材４０３によって塵埃分離部５２の導入孔１５３Ｂに連通されている。
【００３８】
また、前壁部８４の接続開口８４Ａの近傍には互いに所定間隔を隔てた一対の突起（除塵手段）８８が設けられており、後述するプリーツフィルタ１０４の山部１０４Ａ（上流側に対しての山部）の突出部１０４Ａｂに当接するようになっている。また、前壁部８４の中心部には図１６に示すように軸８４Ｊが形成されている。
【００３９】
収納ケース８１の内周壁面は、プリーツフィルタ１０４から落とされた塵埃を受ける塵埃受部８６となっている。
【００４０】
プリーツフィルタ体１００は、図１７に示すように、筒状の枠体１０１と、この枠体１０１の中心位置に設けた軸部１０１Ａと、この軸部１０１Ａから放射状に放射状のプリーツを形成するための複数のプリーツ骨１０２,１０３と、このプリーツ骨１０２,１０３に貼られて形成されたフィルタであるプリーツフィルタ１０４とを有している。
【００４１】
軸部１０１Ａの軸穴１０１Ａａには、図２に示すように、前壁部８４の軸８４Ｊが相対的に回転自在に挿入され、プリーツフィルタ体１００は軸８４Ｊを中心にして回転していくようになっている。
【００４２】
枠体１０１の後端に、図１７に示すように長さの短い円筒部１１０が形成され、この円筒部１１０の外周面に図１８に示すように周方向に沿って径の小さい３つの小径部１１０Ａが等間隔に形成されている。そして、その小径部１１０Ａと小径部１１０Ａとの間が大径部１１０となっている。
【００４３】
この小径部１１０Ａや大径部１１０はマイクロスイッチＳ１により検知するものであり、このマイクロスイッチＳ１（図示せず）は掃除機本体１１の集塵ユニット室２２内に設けられている。この実施例では、例えば大径部１１０を検知しているときマイクロスイッチＳ１はオンし、小径部１１０Ａを検知しているときオフするようになっている。
【００４４】
円筒部１１０の後端面にはギア１０７が形成され、このギア１０７および円筒部１１０は収納ケース８１から外へ突出しており、このギア１０７は掃除機本体１１の集塵ユニット室２２の駆動ギアＧａに噛合しており、モータＭの駆動によりプリーツフィルタ体１００が収納ケース８１内で回転していくようになっている。
【００４５】
そして、塵埃分離ユニット４００を掃除機本体１１の集塵ユニット室２２に装着するとギア１０７が駆動ギアＧａに噛合され、その集塵ユニット室２２から塵埃分離ユニット４００を持ち上げると、ギア１０７は駆動ギアＧａから外れて、塵埃分離ユニット４００は集塵ユニット室２２から簡単に取り外せるようになっている。
【００４６】
掃出体３００は、図１９および図２０に示すように、プリーツフィルタ体１００の軸部１０１Ａに嵌合されてその軸部１０１Ａと一体に回転していく軸部３０１と、この軸部３０１から径方向に延びた３つのアーム３０２と、このアーム３０２の先端部に設けられた掃出部材３０３とを有している。なお、図２０では２つの掃出部材３０３は省略してある。
【００４７】
掃出部材３０３の先端部は、収納ケース８１の塵埃受部８６の内壁面を摺接してその塵埃受部８６に溜まっている塵埃を掻き上げていく第１摺接部３０３Ａとなっており、掃出部材３０３の一側部は、収納ケース８１の前壁部８４上を摺接する第２摺接部３０３Ｂとなっている。また、掃出部材３０３の片面には、第１摺接部３０３Ａで掻き上げた塵埃を排出開口８４Ｋへ落とす傾斜面（ガイド傾斜面）３０３Ｃが形成されている。
【００４８】
掃出体３００は、プリーツフィルタ体１００が回転していくことにより回転していき、この回転により掃出部材３０３は図１６に示す収納ケース８１の塵埃受部８６の内周面に沿ってその内周面および前壁部８４を摺接移動してく。この摺接移動により、掃出部材３０３が塵埃受部８６に溜まった塵埃を掃き出しながら排出開口８４Ｋへ押し上げていくようになっている。
【００４９】
掃出部材３０３が排出開口８４Ｋの位置に移動してくると、掃出部材３０３が開閉蓋４５０の突起４５０Ａを押圧して開閉蓋４５０をスプリング４０１の付勢力に抗して前方へ移動させて、排出開口８４Ｋを開成させる。
【００５０】
プリーツフィルタ体１００が回転して、掃出部材３０３が図１６に示す位置にくると、マイクロスイッチＳ１がオンからオフに切り替わるように、すなわちマイクロスイッチＳ１がプリーツフィルタ体１００の円筒部１１０の大径部１１０Ｂの検知から小径部１１０Ａの検知へと切り替わるように、マイクロスイッチＳ１の取り付け位置と、プリーツフィルタ体１００に対する掃出体３００の取り付け位置が設定されている。
【００５１】
そして、掃出部材３０３が図１６に示す位置にきたとき、排出開口８４Ｋは開閉蓋４５０により閉塞されるようになっている。
【００５２】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される。
【００５３】
図２１はこの電気掃除機の制御系の構成を示したブロック図である。図２１において、２００は操作部１３Ａの操作スイッチ１３ａ（図１参照）の操作やマイクロスイッチＳ１の検知信号に基づいて電動送風機２４やモータＭを制御する制御装置である。
［動  作］
次に、上記のように構成される電気掃除機の動作について説明する。
【００５４】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００５５】
そして、図示しない電源プラグをコンセントに接続する。この接続により制御装置２００がモータＭを駆動させて、フィルタ部８０のプリーツフィルタ体１００を回転させていく。プリーツフィルタ体１００の回転とともに掃出体３００が回転していき、掃出体３００の掃出部材３０３は、その第１摺接部３０３Ａが塵埃受部８６の周面上を摺接移動してその塵埃受部８６に溜まっている塵埃を周面に沿って上に押し上げていく。
【００５６】
このように、掃出部材３０３は回転移動により塵埃を塵埃受部８６に沿って排出開口８４Ｋへ押し上げていくので、その押し上げは簡単な構造で行うことができる。また、掃出体３００はプリーツフィルタ体１００の回転によって回転するので、駆動源は１つでよく、掃出体３００用の専用のモータは不要となる。
【００５７】
そして、掃出部材３０３が排出開口８４Ｋの位置にくると、図２２に示すように、掃出部材３０３の第２摺接部３０３Ｂが開閉蓋４５０の突起４５０Ａを押圧するので、開閉蓋４５０が開成する。
【００５８】
一方、掃出部材３０３の第１摺接部３０３Ａで掻き上げられた塵埃は、掃出部材３０３の側面３０３Ｄを介して傾斜面３０３Ｃに落とされ、さらにその塵埃は傾斜面３０３Ｃによって排出開口８４Ｋへ落とされて排出される。この排出開口８４Ｋに落とされた塵埃は連通部材４０３を介して塵埃分離部５２の導入孔１５３Ｂから分離室部５４内へ戻される。
【００５９】
そして、プリーツフィルタ体１００の回転により掃出部材３０３が図１６に示す位置にくると、マイクロスイッチＳ１がプリーツフィルタ体１００の円筒部１１０の大径部１１０Ｂの検知から小径部１１０Ａの検知へと切り替わり、これによりモータＭの駆動が停止される。そして、掃出部材３０３が図１６に示す位置に移動すると、掃出部材３０３の第２摺接部３０３Ｂによる開閉蓋４５０の突起４５０Ａの押圧が解除され、開閉蓋４５０がスプリング４０１の付勢力により排出開口８４Ｋを閉塞する。
【００６０】
モータＭの駆動中、すなわち開閉蓋４５０によって排出開口８４Ｋが閉塞されるまでの間、手元操作管１３の操作部１３Ａのスイッチ１３ａを操作しても電動送風機２４は駆動されない。これにより、塵埃分離部５２の分離室部５４内へ排出された塵埃が排出開口８４Ｋから吸引されて再度プリーツフィルタ１０４に付着してしまうことが防止される。
【００６１】
手元操作管１３の操作部１３Ａのスイッチ１３ａが操作されると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００６２】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図２３において反時計回りに回転していく。
【００６３】
そして、この回転により塵埃と空気が慣性により分離され、空気が塵埃分離手段５５のネットフィルタＮＦ１（図１０参照）や開口１５４ＢのネットフィルタＮＦ２を通り、さらに吸引風路部５６を通ってフィルタ部８０の収納ケース８１内へ吸引されていく。
【００６４】
他方、分離された塵埃は、慣性力によって分離室部５４の導入開口５３Ａ集塵部７０の連通ケース部７２内へ一部の空気とともに導入される。この導入された塵埃および空気は連通ケース部７２の連通路７１を通って集塵室７３へ吸引されていき、塵埃は集塵室７３に集塵されていく。
【００６５】
集塵室７３へ吸引された空気は、ネットフィルタＮＦ３およびカバー板１７０の下部の開口１７０Ａを通って吸引風路部５６に吸引され、さらにフィルタ部８０の収納ケース８１内へ吸引されていく。
【００６６】
ネットフィルタＮＦ３は、所定距離離間した位置にカバー板１７０によって覆われているとともに、カバー板１７０の下部に開口１７０Ａが形成されていることにより、ネットフィルタＮＦ３の下部に多くの空気が流れる。このため、ネットフィルタＮＦ３の下側から目詰まりが生じていき、塵埃を集塵室７３により多く蓄積することができる。
【００６７】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００６８】
電動送風機２４の吸込開口２４Ａへ吸引された空気は電動送風機２４内を通って図２に示す掃除機本体１１の排気口２０Ｈから排気されていく。
【００６９】
掃除が終了したら、操作部１３Ａの操作スイッチ１３ａを操作して電動送風機２４の駆動を停止させる。この電動送風機２４の駆動が停止されると、図２１に示す制御装置２００がモータＭを駆動させる。モータＭの駆動により駆動ギアＧａが回転してプリーツフィルタ体１００が回転していく。
【００７０】
このプリーツフィルタ体１００の回転により、収納ケース８１の前壁部８４の突起８８がプリーツフィルタ１０４の山部１０４Ａの突出部１０４Ａｂに当たって、プリーツフィルタ１０４に振動が与えられていき、プリーツフィルタ１０４に付着した塵埃が振り落とされていく。この塵埃は収納ケース８１の塵埃受部８６に溜まっていく。
【００７１】
突起８８は、プリーツフィルタ体１００の回転中心より下側に設けられているので、プリーツフィルタ体１００の下側部分のプリーツフィルタ１０４に大きな振動が与えられることになる。このため、その下側部分のプリーツフィルタ１０４から塵埃が振り落とされてそのまま塵埃受部８６へ落ちていき、この落下の途中で再度プリーツフィルタ１０４に付着してしまうことがなく、このため効率よく塵埃を落とすことができる。
【００７２】
他方、プリーツフィルタ体１００とともに掃出体３００が回転していき、掃出体３００の掃出部材３０３の第１摺接部３０３Ａが収納ケース８１の塵埃受部８６の内周面を摺接移動していく。この摺接移動により、塵埃受部８６に溜まった塵埃が掻き上げられながら塵埃受部８６の周面上に沿って上に押し上げられていき、そして、掃出部材３０３が排出開口８４Ｋの位置にくると、上述のようにして排出開口８４Ｋが開成されて（図２２参照）、その押し上げられた塵埃が排出開口８４Ｋへ排出され、連通部材４０３を介して塵埃分離部５２の分離室部５４内へ戻される。
【００７３】
そして、プリーツフィルタ体１００が例えば１回転して、掃出部材３０３が図１６に示すの位置にくると、マイクロスイッチＳ１がプリーツフィルタ体１００の円筒部１１０の大径部１１０Ｂの検知から小径部１１０Ａの検知へと切り替わり、これによりモータＭの駆動が停止され、プリーツフィルタ体１００の回転が停止される。そして、上述のように排出開口８４Ｋが開閉蓋４５０により閉塞される。
【００７４】
また、掃出体３００の掃出部材３０３が排出開口８４Ｋを開成したとき、電源プラグをコンセントから引き抜いた場合、モータＭの駆動が停止され、排出開口８４Ｋは開成されたままとなるが、上述のように、電源プラグをコンセントに接続すると、モータＭを駆動してプリーツフィルタ体１００を回転させ、そして掃出部材３０３が図１６に示す位置にくると、モータＭの駆動を停止させて掃出部材３０３を図１６の実線位置に停止させるものであるから、排出開口８４Ｋは開閉蓋４５０に閉塞され、この後電動送風機２４を駆動させるものであるから、塵埃分離部５２の分離室部５４へ戻した塵埃を排出開口８４Ｋから吸引してしまうという不具合は防止される。
【００７５】
さらに、塵埃受部８６に溜まった塵埃は掃出部材３０３の回転移動により、排出開口８４Ｋから連通部材４０３を介して塵埃分離部５２の分離室部５４内へ戻されるものであるから、プリーツフィルタ１０４用の専用の集塵部を集塵部ユニット４１０に設けなくてもよい。
【００７６】
長期間の使用により、プリーツフィルタ１０４に目詰まりが生じた場合には、塵埃分離ユニット４００を掃除機本体１１から取り外してプリーツフィルタ１０４を清掃する。
【００７７】
塵埃分離ユニット４００の取り外しは、先ず掃除機本体１１から集塵部ユニット４１０を取り外した後に行うが、駆動ギアＧａがプリーツフィルタ体１００のギア１０７の回転中心位置より下側位置にとなるように設定することにより、駆動ギアＧａが邪魔になることなく、塵埃分離ユニット４００を上に持ち上げるだけで、プリーツフィルタ体１００のギア１０７は駆動ギアＧａから外れる。このため、塵埃分離ユニット４００を掃除機本体１１の集塵ユニット室２２から簡単に取り外すことができる。
【００７８】
また、塵埃分離ユニット４００の装着の際にも、集塵ユニット室２２の上から挿入すれば、駆動ギアＧａが邪魔になることなく、プリーツフィルタ体１００のギア１０７が駆動ギアＧａに噛合して、塵埃分離ユニット４００を集塵ユニット室２２に簡単に装着することができる。
【００７９】
上記実施例では、排出開口８４Ｋから排出される塵埃を塵埃分離部５２の分離室部５４内へ戻しているが、これに限らず、例えば塵埃分離部５２の上流となる案内風路管５７又は集塵部７０へ戻してもよい。また、慣性分離タイプの電気掃除機に適用したものについて説明したが通常の例えば紙フィルタを使用する電気掃除機に適用してもよい。
【００８０】
また、上記実施例では、プリーツフィルタ体１００を回転させることにより、プリーツフィルタ１０４に付着した塵埃を落としているが、これに限らずプリーツフィルタ体１００を回転させずに突起８８を回動させてプリーツフィルタ１０４に振動を与えて塵埃を落とすようにしたものであってもよい。
【００８１】
上記実施例は、キャニスタ型のタイプの電気掃除機について説明したが、アップライト式の電気掃除機や、手元操作管等に塵埃分離ユニットを取り付ける電気掃除機に適用することもできる。
【図面の簡単な説明】
【００８２】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】図３に示す掃除機本体の縦断面斜視図である。
【図５】集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの他の方向から見た斜視図である。
【図９】塵埃分離ユニットの外観を示した斜視図である。
【図１０】収納ケースの前壁部と塵埃分離部とダクトを示した概念図である。
【図１１】集塵部ユニットの外観を示した斜視図である。
【図１２】図１１の集塵部ユニットを他の方向から見た斜視図である。
【図１３】蓋体を外した集塵部ユニットを示した斜視図である。
【図１４】蓋体を示した斜視図である。
【図１５】図１１の集塵部ユニットの平面図である。
【図１６】収納ケースと掃出体を示した説明図である。
【図１７】プリーツフィルタ体を示した側面図である。
【図１８】図１７に示すプリーツフィルタ体の円筒部の形状を示した説明図である。
【図１９】掃出体を示した正面図である。
【図２０】図１９に示した掃出体の斜視図である。
【図２１】電気掃除機の制御系の構成を示したブロック図である。
【図２２】掃出部材によって排出開口が開成された状態を示した説明図である。
【図２３】塵埃分離部を示した斜視図である。
【符号の説明】
【００８３】
１１          掃除機本体
２２          集塵ユニット室
５０          集塵ユニット
５２          塵埃分離部
５４          分離室部
８０          フィルタ部
８４          前壁部（区画壁）
８４Ｋ        排出開口
８６          塵埃受部
１０４        プリーツフィルタ（二次フィルタ）
１８１        フィルタ室
３０３        掃出部材
４００        開閉蓋
Ｍ        モータ
【図１】
2007054549.tif 000003
【図２】
2007054549.tif 000004
【図３】
2007054549.tif 000005
【図４】
2007054549.tif 000006
【図５】
2007054549.tif 000007
【図６】
2007054549.tif 000008
【図７】
2007054549.tif 000009
【図８】
2007054549.tif 000010
【図９】
2007054549.tif 000011
【図１０】
2007054549.tif 000012
【図１１】
2007054549.tif 000013
【図１２】
2007054549.tif 000014
【図１３】
2007054549.tif 000015
【図１４】
2007054549.tif 000016
【図１５】
2007054549.tif 000017
【図１６】
2007054549.tif 000018
【図１７】
2007054549.tif 000019
【図１８】
2007054549.tif 000020
【図１９】
2007054549.tif 000021
【図２０】
2007054549.tif 000022
【図２１】
2007054549.tif 000023
【図２２】
2007054549.tif 000024
【図２３】
2007054549.tif 000025